(57)【要約】 【課題】運用中にセンサの故障を検出できる自動改札機および自動改札機のセンサ故障検知方法を提供する。【解決手段】実施形態によれば、自動改札機は、近接センサと、人間検知センサと、検出手段と、を有する。近接センサは、通路に接近する人物を検知する。人間検知センサは、通路内に存在する人物を検知する。検出手段は、近接センサにより検知されずに通路に存在する人物が検知された場合、前記近接センサに故障が発生していることを検出する。【選択図】図２
2015014950.tif 000002
【特許請求の範囲】
【請求項１】
改札用の通路を通行する人物に対して改札処理を行う自動改札機において、
前記通路に接近する人物を検知する近接センサと、
前記通路内に存在する人物を検知する人間検知センサと、
前記近接センサにより検知されずに前記通路に存在する人物が検知された場合、前記近接センサに故障が発生していることを検出する検出手段と、
を有する自動改札機。
【請求項２】
さらに、前記近接センサにより前記通路に接近する人物を検知した場合、あるいは、前記人間検知センサにより前記通路に存在する人物を検知した場合、動作モードが改札処理を行う運用モードでなければ、動作モードを運用モードへ移行させて改札処理を実行する改札処理手段を有する、
前記請求項１に記載の自動改札機。
【請求項３】
さらに、所定の移行条件を満たした場合、動作モードを消費電力を低減する低消費モードへ移行させる第１の制御手段を有し、
前記改札処理手段は、前記近接センサにより前記通路に接近する人物を検知した場合、あるいは、前記人間検知センサにより前記通路に存在する人物を検知した場合、動作モードが低消費モードであれば、動作モードを運用モードへ移行させる、
前記請求項１又は２の何れか１項に記載の自動改札機。
【請求項４】
さらに、前記検出手段により前記近接センサに故障が発生していることを検出した場合、前記近接センサに故障が発生したことを外部装置へ通知する通知手段を有する、
前記請求項１乃至３の何れか１項に記載の自動改札機。
【請求項５】
さらに、前記検出手段により前記近接センサに故障が発生していることを検出した場合、当該自動改札機の動作モードを運用モードに固定する設定手段を有する、
前記請求項１乃至４の何れか１項に記載の自動改札機。
【請求項６】
改札用の通路に接近する近接センサを有し、前記通路を通行する人物に対して改札処理を行う自動改札機のセンサ故障検知方法であって、
前記近接センサからの出力信号に基づいて前記通路に接近する人物を検知し、
前記通路に存在する人物が前記近接センサの出力信号によって検知されていない場合、前記近接センサに故障が発生していることを検出する、
を有する自動改札機のセンサ故障検知方法。
【発明の詳細な説明】
【技術分野】
【０００１】
本発明の実施形態は、自動改札機および自動改札機のセンサ故障検知方法に関する。
【背景技術】
【０００２】
鉄道或いはバスなどの交通機関で運用されている自動改札機は、種々のセンサを具備し、各センサによる検知結果に基づいて動作制御を行う。このため、自動改札機は、動作制御に係るセンサが故障すると、正常な動作制御を行えなくなる。また、自動改札機は、一部のセンサの故障が発生しても改札処理を行えることが多い。このため、運用中の自動改札機における個々のセンサの故障を発見することは、容易ではない。たとえば、近年では、近接センサにより人間が接近してきたことを検知し、人間の接近に応じて動作モードを変更する機能を有する自動改札機がある。
【先行技術文献】
【特許文献】
【０００３】
【特許文献１】特開２０００−１１３２３９号公報
【発明の概要】
【発明が解決しようとする課題】
【０００４】
本発明が解決しようとする課題は、運用中にセンサの故障を検出できる自動改札機および自動改札機のセンサ故障検知方法を提供することを目的とする。
【課題を解決するための手段】
【０００５】
実施形態によれば、自動改札機は、近接センサと、人間検知センサと、検出手段と、を有する。近接センサは、通路に接近する人物を検知する。人間検知センサは、通路内に存在する人物を検知する。検出手段は、近接センサにより検知されずに通路に存在する人物が検知された場合、前記近接センサに故障が発生していることを検出する。
【図面の簡単な説明】
【０００６】
【図１】図１は、実施形態に係る自動改札機の外観構成を示す外観図である。
【図２】図２は、実施形態に係る自動改札機の制御系統の構成例を示すブロック図である。
【図３】図３は、実施形態に係る自動改札機の動作例を説明するためのフローチャートである。
【発明を実施するための形態】
【０００７】
以下、実施形態について図面を参照して説明する。  
図１は、実施形態に係る自動改札機１の外観構成を概略的に示す斜視図である。  
図１に示すような自動改札機１は、例えば、鉄道関係の駅の改札口等に設置され、利用者に対する入場業務や出場業務などの通行制御（改札処理）を行うものである。自動改札機１は、例えば、２台１組で１つの改札用の通路を形成する。自動改札機１は、改札用の通路を１方向にのみ通過可能な入場専用あるいは出場専用の専用機として用いられる場合と、改札用の通路を両方向に通過可能な両用機として用いられる場合とがある。自動改札機１は、予め入場用の専用機、出場用の専用機あるいは両用機の何れかに設定される。
【０００８】
自動改札機１は、無線通信機器としての非接触式ＩＣカード（以下、単に、ＩＣカードとも称する）との無線によるデータ通信を行う機能を有する。本実施形態において、自動改札機１は、利用者が乗車券として所持する記録媒体として、磁気情報を記録した磁気券あるいは非接触式ＩＣカードを乗車券として処理するものとする。
【０００９】
利用者が所持する乗車券としてのＩＣカードは、定期券、運賃精算のための料金前払い方式のストアードフェア（ＳＦ）カード、あるいは、運賃精算のための料金後払い方式のカードなどとして利用される。たとえば、自動改札機１は、通常の動作モード（運用モード）において、乗車券としてのＩＣカードを捕捉し（ＩＣカードと通信し）、ＩＣカードに記憶されている乗車券情報を読み取り、読み取った乗車券情報により改札処理を行う。
【００１０】
また、利用者が所持する乗車券としての磁気券は、定期券、あるいは、普通乗車券として利用される。たとえば、自動改札機１は、通常の動作モード（運用モード）において磁気券の投入口を開放し、投入口に投入された乗車券を取り込んで乗車券情報としての磁気記録情報を読み取り、読み取った乗車券情報により改札処理を行う。
【００１１】
自動改札機１は、入場用あるいは出場用の通路を形成する筐体２を有する。自動改札機１の筐体２の上面および側面は、筐体内部における係員による保守作業などのために開閉可能なカバー３を有する。カバー３は、通常の動作モード（運用モード）において、図示しない施錠機構によりロックされており、係員による保守作業を受け付ける動作モード（保守モード）において、施錠機構によるロックが解除される。
【００１２】
また、図１に示す構成例において、自動改札機１を形成する筐体上面の一端部には、乗車券として用いられるＩＣカードとの無線通信を行うカードリーダライタ４が設けられている。カードリーダライタ４は、電波の送受信を行うアンテナ及び送受信回路などにより構成され、筐体上面の一端部分が通信範囲となっている。
【００１３】
例えば、改札用の通路を通行しようとする利用者がＩＣカードを所定の通信領域に提示すると、自動改札機１は、利用者が提示したＩＣカードを捕捉し、当該ＩＣカードに記録されている情報を読み取る。自動改札機１は、ＩＣカードから読み取った情報に基づいて当該利用者の通行の可否を判断し、その判断結果に基づいて当該利用者の通行を制御するとともに、改札処理の結果としての情報を当該ＩＣカードに書き込む。
【００１４】
また、図１に示す構成例において、自動改札機１を形成する筐体上面の一端部には、乗車券として用いられる磁気券が投入される投入口５が設けられている。磁気券は、磁気情報を記憶する磁気式の記録媒体で構成され、有効期間や利用区間などの改札情報が磁気エンコード記録された磁気式乗車券（定期券や普通乗車券など）である。自動改札機１は、磁気券を処理するための磁気券処理部（後述する）を有する。磁気券処理部は、投入口５に投入された磁気券を搬送する搬送機構、および、搬送機構により搬送される磁気券に対して磁気情報の読取および書込みを行う処理機構などにより構成される。図１に示す構成例において、自動改札機１は、上面の一端部（通路の進入口側の端部）に磁気券が投入される投入口５が設けられ、上面の他端部（通路の退出口側の端部）に案内表示部８の手前に、装置内部の磁気券処理部で処理された磁気券を排出する取出口６が設けられる。
【００１５】
また、投入口５には、シャッタ５ａが設けられる。シャッタ５ａは、投入口５への磁気券の投入を阻止するものである。自動改札機１が磁気券の受入れ不可な状態である場合、シャッタ５ａは閉鎖され、磁気券の受入れが可能な状態である場合には、シャッタ５ａは開放される。また、投入口５に投入された磁気券は、自動改札機１の筐体内に取り込まれ、筐体内の磁気券処理部（磁気読取部および磁気書込部）により情報の読み取りおよび書込みが施される。
【００１６】
例えば、自動改札機１が改札処理を実行可能な運用モードであれば、シャッタ５ａが開放される。利用者が磁気券を所定の投入口５に投入すると、自動改札機１は、利用者により投入口５に投入された磁気券を取込み、取り込んだ磁気券に記録されている情報を読み取る。自動改札機１は、磁気券から読み取った情報に基づいて当該利用者の通行の可否を判断し、その判断結果に基づいて当該利用者の通行を制御する。この場合、磁気券は、改札処理の処理結果を示す情報が書き込まれて取出口６から返却されるか、もしくは、回収される。
【００１７】
自動改札機１を形成する筐体の通路側の側面の両端部には、それぞれ通行者の通行の許可不許可を行う開閉動作可能なドア７、７が設けられている。ドア７は、通常運用状態においては、利用者が所持するＩＣカードに対する判定結果、あるいは、人間検知センサＳあるいは近接センサＮの検知結果などに基づいて開閉制御される。
【００１８】
自動改札機１を形成する筐体上面の他端部には、利用者あるいは係員などに対して案内を行うための案内表示部８が設けられている。案内表示部８は、例えば、液晶表示装置などにより構成される。案内表示部８は、通路を通行する利用者に対する改札処理の結果などを案内する案内画面を表示する。たとえば、案内表示部８には、ストアードフェア（ＳＦ）カード機能を有するＩＣカードを処理した場合には改札処理後のＩＣカードにおけるＳＦ残額を表示する。
【００１９】
自動改札機１を形成する筐体上面には、自動改札機１の状態あるいは処理状況などを報知するための状態表示部９が設けられている。たとえば、状態表示部９は、小児用のＩＣカードが提示された場合あるいは磁気券としての小児券が投入された場合、小児に対する改札処理であることを示す表示を行う。また、状態表示部９は、無効な乗車券となるＩＣカード或いは磁気券が提示された場合、利用者が提示した乗車券が無効券ことを示す表示を行う。
【００２０】
自動改札機１を形成する筐体上面のセンサカバー内および筐体の側面には、複数の人間検知センサＳが設けられている。人間検知センサＳは、反射型の検知センサ、あるいは透過型の検知センサにより構成される。人間検知センサＳからの出力信号は、「明」あるいは「暗」の何れかとなる。人間検知センサＳは、所定の検知位置に人物が存在するか否かを検知するものである。自動改札機１は、複数の人間検知センサＳにより通路内の各所における人物の有無を検知する。これにより、自動改札機１は、複数の人間検知センサＳの検知結果に基づいて通路を通過中の利用者の位置を判定するようになっている。
【００２１】
さらに、自動改札機１は、カードリーダライタ４及び投入口５が設けられている側（通路の進入口側）に、近接センサＮが設けられている。近接センサＮは、自動改札機１に接近してくる人物を検知するためのセンサである。近接センサＮは、たとえば、反射型の検知センサにより構成される。近接センサＮからの出力信号については、信号レベルに応じて人物の接近状態を検知される。
【００２２】
なお、入場用或いは出場用の専用機として用いられる自動改札機１では、利用者が通行する方向が定められており、その方向に対して利用者が通路に進入する側のドアは開放された状態となっており、通路を退場する側のドアが通行可否の判定結果などに応じて制御される。これに対して、両用機として用いられる自動改札機１では、利用者が通行する方向が予め決まっていない。このため、両用機として用いられる自動改札機１では、近接センサＮの検知結果に基づいて自動改札機に接近してきた利用者を検知し、利用者が接近してきた側からの通行を制御するようにして良い。
【００２３】
すなわち、両用機として用いられる自動改札機１では、利用者が接近してきた方向に応じて通路の通行方向が決定され、入場用の自動改札機として機能するか、出場用の自動改札機として機能するかが切り替えられる。このような自動改札機１は、利用者の接近してきた方向に応じた通路の通行方向に対して、利用者が通路に進入する側のドア７を開放し、退場する側のドア７を通行可否の判定結果などに応じて制御する。また、両用機として用いられる自動改札機１では、利用者の接近に応じて通行方向が決定されるため、利用者が自動改札機１近傍にいない場合には両側のドア７が開放された状態で待機するようになっている。
【００２４】
図２は、上記のように構成された自動改札機１の制御系統の構成を示すものである。  
図２に示すように、自動改札機１は、制御部２１により全体が制御される。制御部２１には、ＲＯＭ（リード・オンリ・メモリ）２２、ＲＡＭ（ランダム・アクセス・メモリ）２３、データメモリ２４、伝送制御回路２５、表示制御回路２６、ドア開閉機構２７、カードリーダライタ４、シャッタ開閉機構２８、磁気処理部２９、人間検知センサＳ、および近接センサＮなどが接続されている。
【００２５】
制御部２１は、ＣＰＵ（セントラル・プロセッシング・ユニット）などにより構成され、ＲＯＭ２２などのメモリに記憶されているプログラムを実行することにより種々の処理機能を実現する。たとえば、制御部２１は、ＣＰＵがプログラムを実行することにより、動作モードの切り替えを制御する機能（移行手段）、カードリーダライタ４によりＩＣカードを処理する機能、磁気処理部２９により磁気券を処理する機能、ＩＣカードから読み取った情報、あるいは、磁気券から読み取った情報に基づく入場又は出場の判定処理（通行判定手段）、および、通行判定結果に基づいて利用者の入場又は出場を制御する通行制御処理（通行制御手段）などを実現する。
【００２６】
また、制御部２１は、当該自動改札機１の動作モードを切り替えたり、動作モードの設定を切り替えたりする機能を有する。たとえば、当該自動改札機１は、動作モードとして、改札処理を実施する運用モード、消費電力を抑制する低消費（省電力）モード、保守作業を行うための保守モードなどがある。たとえば、制御部２１は、所定の移行条件を満たした場合（例えば、所定期間人物を検知されない場合）に動作モードを低消費モードへ移行したり、低消費モードにおいて人物を検知した場合には運用モードへ移行したりする。また、動作モードの設定としては、動作モードを低消費モードの切り換えを禁止したり、動作モードを運用モードに固定したりする設定が可能である。
【００２７】
ＲＯＭ２２は、予めデータが記憶されている不揮発性のメモリで構成される。例えば、ＲＯＭ２２には、制御部２１により実行される制御プログラムや制御データなどが記憶されている。ＲＡＭ２３は、一時的にデータを記憶する揮発性メモリで構成される。例えば、ＲＡＭ２３は、制御部２１にて実行される制御プログラムなどのバッファメモリとして機能する。
【００２８】
データメモリ２４は、書き換え可能な不揮発性メモリにより構成される。データメモリ２４には、例えば、運賃情報や上位装置としてのホストコンピュータ（図示しない）からダウンロードされたデータなどが記憶されている。
【００２９】
伝送制御回路２５は、自動改札機１の稼働状況を駅係員が監視するための監視盤３０とのデータ通信を行うためのインターフェースである。伝送制御回路２５は、監視盤３０からの当該自動改札機１への制御指示（例えば、動作モードを指定する制御指示）を受信したり、当該自動改札機１の動作状況を示す情報（例えば、センサ故障等）を監視盤３０へ送信したりする。また、伝送制御回路２５としては、データ集計などを行う上位装置としてのホストコンピュータなどとのデータ通信を行うようにしても良い。
【００３０】
表示制御回路２６は、案内表示部８の表示制御を行うものである。例えば、表示制御回路２６は、制御部２１からの指示に応じて案内表示部８に通行判定の結果を示す情報などを表示する。ドア開閉機構２７は、ドア７を開閉する機構である。ドア開閉機構２７は、制御部２１による制御に基づいてドア７を開閉駆動するようになっている。
【００３１】
また、カードリーダライタ４は、制御部２１からの動作指示に基づいて乗車券として利用されるＩＣカードとのデータの送受信を行う。カードリーダライタ４は、ＩＣカードにコマンドを供給し、供給したコマンドに対するレスポンスをＩＣカードから受信する。例えば、カードリーダライタ４は、ＩＣカードに書込みコマンドを送信することにより、ＩＣカードに情報（例えば、改札情報）を書き込む書込み手段として機能する。また、カードリーダライタ４は、ＩＣカードに読出しコマンドを送信することにより、ＩＣカードから情報（例えば、乗車券情報）を読み取る読取手段として機能する。
【００３２】
シャッタ開閉機構２８は、投入口５に設けられたシャッタ５ａを開閉する機構である。たとえば、シャッタ開閉機構２８は、乗車券としての磁気券の処理が可能な状態（磁気券の処理が可能な動作モード）である場合、制御部２１による制御によりシャッタ５ａを開放することにより投入口５への磁気券の投入を受付ける。  
また、磁気処理部２９は、投入口５に投入された乗車券として利用される磁気券を処理する。たとえば、磁気処理部２９は、制御部２１からの動作指示に基づいて磁気券から情報を読出したり磁気券に改札情報を記録したりする。
【００３３】
次に、本実施形態に係る自動改札機における近接センサＮの故障検知について説明する。  
近接センサＮは、出力の変化を検出することにより人間の接近を検知する。たとえば、動作モードが低消費モード（省電力モード）である自動改札機１は、近接センサＮにより接近してくる人物を検知した場合、動作モードを運用モードに移行させて改札処理を実行できる状態にする。近接センサＮが故障している場合、自動改札機１は、接近してくる人物を検知することができず、人物が接近してきても動作モードを運用モードに切り替えることができない。ただし、人間検知センサＳは通路内に進入してきた時点で人物を検知することができる。このため、自動改札機１は、近接センサＮが故障している場合であっても、通路内に進入してきた人物を検知してから、動作モードを運用モードに移行させて改札処理を実行する事が可能である。
【００３４】
しかしながら、動作モードを低消費モードから運用モードへ移行させる移行処理には処理時間が必要である。このため、近接センサＮが故障している自動改札機１は、一度低消費モードへ移行してしまうと、運用モードへの切替に時間がかかり、スムーズな改札処理を実施できない可能性がある。また、近接センサＮが故障中（通路内に進入しなければ人物を検知できない状態）の自動改札機１では、通路の直前（人間検知センサＳが検知できない範囲）で提示（ＩＣカードの提示あるいは磁気券の投入）される乗車券を処理することもできない。すなわち、低消費モードの自動改札機１は、近接センサＮが故障している場合、スムーズな改札処理を確実に提供することができない。
【００３５】
本実施形態に係る自動改札機１は、近接センサＮの故障を発見する機能を有する。たとえば、近接センサＮが接近した人物を検知できない状態のままで人間検知センサＳが通路内に進入した人物を検知した場合、自動改札機１は、近接センサＮが故障しているものと判断する。言い換えれば、通常時には近接センサＮが接近してくる人物を検知したのに応じて動作モードを運用モードに切り替える自動改札機では、低消費モードの状態のままで通路に進入する人物を検知した場合（例えば、人間検知センサＳが人物検知した場合あるいは利用者が提示する乗車券を検知した場合）、近接センサＮが故障しているものと判断できる。このような機能によって、本実施形態に係る自動改札機１は、運用中であっても、近接センサＮの故障を自動的に検知できる。
【００３６】
また、本実施形態に係る自動改札機１は、近接センサＮの故障を検知した場合にスムーズな改札処理を実施するために、動作モードを運用モードに固定する。これにより、自動改札機１は、動作モードを低消費モードとすることなく、利用者に対して迅速に改札処理を行うことができる。すなわち、本実施形態に係る自動改札機１は近接センサＮの故障を検知した場合に動作モードを運用モードに固定する機能を有する。この機能によって、自動改札機１は、近接センサＮが故障した場合であってスムーズな改札処理を提供することができる。
【００３７】
また、本実施形態に係る自動改札機１は、近接センサＮの故障を検知した場合、駅係員に報知するために、監視盤３０へ近接センサＮの故障を検知した旨を通知する。監視盤３０は、駅係員が自動改札機１に動作状況を監視するために、自動改札機１の動作状況を示す情報を表示するものである。すなわち、自動改札機１が監視盤３０に近接センサＮの故障を検知した旨を通知することにより、監視盤３０は、自動改札機１の近接センサＮに故障が発生したことを表示できる。この結果として、監視盤３０に表示された内容で自動改札機１を監視している駅係員は、自動改札機１の近接センサＮに故障が発生したことを迅速に認識できる。たとえば、近接センサＮに故障が発生したことを認識した駅係員は、目視等で異常の有無を確認した後、保守員に近接センサＮの修理などを依頼できる。
【００３８】
次に、自動改札機１の動作例について説明する。  
図３は、本実施形態に係る自動改札機１の動作例を説明するためのフローチャートである。  
動作モードが運用モードの自動改札機１の制御部２１は、待機状態において、低消費モードへの移行するための条件を満たすか否かを判断する（ステップＳ１１）。たとえば、低消費モードへ移行するための条件としては、当該自動改札機１に接近してくる人物が所定時間以上いない場合、あるいは、当該自動改札機１による改札処理が所定時間以上実行されていない場合などが想定される。
【００３９】
低消費モードへ移行するための条件を満たすと判断した場合（ステップＳ１１、ＹＥＳ）、制御部２１は、当該自動改札機１が低消費モードへの移行可能な設定であるか否かを判断する（ステップＳ１２）。低消費モードへの移行が可能であると判断した場合（ステップＳ１２、ＹＥＳ）、制御部２１は、当該自動改札機１の動作モードを低消費モードへ移行させる移行処理を行う（ステップＳ１３）。
【００４０】
また、自動改札機１の制御部２１は、近接センサＮの検知結果により当該自動改札機１に接近してくる人物を検知するとともに（ステップＳ１４）、人間検知センサＳの検知結果により通路内の人物を検知する（ステップＳ１７）。近接センサＮにより当該自動改札機１に接近してくる人物を検知した場合（ステップＳ１４、ＹＥＳ）、制御部２１は、当該自動改札機１の動作モードが低消費モードであるか否かを判断する（ステップＳ１５）。当該自動改札機１が低消費モードであると判断した場合（ステップＳ１５、ＹＥＳ）、制御部２１は、動作モードを低消費モードから運用モードへの移行させる移行処理を行う（ステップＳ１６）。また、動作モードが低消費モードでない場合（ステップＳ１５、ＮＯ）、制御部２１は、通路に進入した利用者に対する改札処理を実施できる状態となっている。
【００４１】
また、人間検知センサＳにより当該自動改札機１の通路に進入した人物を検知した場合（ステップＳ１７、ＹＥＳ）、制御部２１は、当該自動改札機１の動作モードが低消費モードであるか否かを確認する（ステップＳ１８）。近接センサＮが正常に動作している場合、通路に進入する人物は、先に近接センサＮで検知されてから人間検知センサＳで検知される。これに対して、近接センサＮが故障している場合、通路に進入する人物は、近接センサＮで検知されることなく、人間検知センサＳで検知される。
【００４２】
すなわち、人間検知センサＳが通路内の人物を検知した時点で低消費モードのままである（近接センサＮが人物を検知していない）という場合、近接センサＮは、故障している可能性が高いこと示す。このため、本実施形態の自動改札機１において、人間検知センサＳが通路内で人物を検知した時点で低消費モードのままである場合（言い換えれば、低消費モードの状態で人間検知センサＳが人物を検知した場合）、制御部２１は、近接センサＮに故障が発生しているものと判断するものである。
【００４３】
このように、低消費モードの状態で人間検知センサＳが人物を検知した場合（ステップ１８、ＹＥＳ）、制御部２１は、当該自動改札機１の動作モードを運用モードに切り替える移行処理を行う（ステップＳ１９）。これは、近接センサＮの故障によって低消費モードの状態のままとなっている自動改札機１が通路内の進入した利用者に対して運用モードでの改札処理を実行するための処理である。
【００４４】
また、低消費モードの状態で人間検知センサＳが人物を検知した場合、つまり、近接センサＮが故障していると判断した場合（ステップ１８、ＹＥＳ）、制御部２１は、当該自動改札機１の近接センサＮに故障が発生している旨を監視盤３０に通知する（ステップＳ２０）。さらに、低消費モードの状態で人間検知センサＳが人物を検知した場合、つまり、近接センサＮが故障していると判断した場合（ステップ１８、ＹＥＳ）、制御部２１は、当該自動改札機１の動作モードを運用モードに固定する設定処理を行う（ステップＳ２１）。
【００４５】
動作モードを運用モードに固定する設定は、当該自動改札機１の動作モードを改札処理を即座に実施できる運用モードに固定するものであって、低消費モードに移行することを禁止する設定である。  
動作モードが運用モードである自動改札機１（動作モードを運用モードに切り替えた自動改札機１）において、制御部２１は、人間検知センサＳが検知する通路内の人物に対して改札処理を実行する（ステップ２２）。
【００４６】
上記のように、本実施形態に係る自動改札機は、改札用の通路を通行する人物に対して改札処理を行うものであって、近接センサで通路に接近することが検知されなかった人物が通路に存在することが検知された場合、近接センサに故障が発生していることを検出するものである。これにより、本実施形態に係る自動改札機によれば、運用中であっても、自動的に近接センサの故障を検知することができる。この結果として、駅係員によるチェック、および、早期の保守作業などを促すことができる。
【００４７】
また、本実施形態に係る自動改札機は、近接センサに故障が発生していることが検出された場合、近接センサが故障していることを監視盤に通知する。これにより、監視盤は、近接センサの故障が発生した自動改札機を報知することができる。この結果として、駅係員によるチェック、および、早期の保守作業などを促すことができる。
【００４８】
また、本実施形態に係る自動改札機は、近接センサに故障が発生していることが検出された場合、動作モードを改札処理を実行する運用モードに固定する。これにより、当該自動改札機は、遅延などが発生することなく改札処理を実行できるため、近接センサに故障が発生してもスムーズな改札処理を継続できる。
【００４９】
また、本実施形態に係る自動改札機は、所定の移行条件を満たした場合、動作モードを消費電力を低減する低消費モードへ移行させ、近接センサに故障が発生していることが検出された場合、動作モードを低消費モードへ移行することを禁止する。これにより、近接センサが故障中の自動改札機は、低消費モードへ移行する移行条件を満たしても、低消費モードへ移行することがなく、結果として運用モードによるスムーズな改札処理を継続的に提供できる。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
１…自動改札機、Ｓ…人間検知センサ、Ｎ…近接センサ、４…カードリーダライタ、５…投入口、５ａ…シャッタ、７…ドア、８…案内表示部、９…状態表示部、２１…制御部、２５…伝送制御回路、２６…表示制御回路、２７…ドア開閉機構、２８…シャッタ開閉機構、２９…磁気処理部、３０…監視盤。
【図１】
2015014950.tif 000003
【図２】
2015014950.tif 000004
【図３】
2015014950.tif 000005